(57)【特許請求の範囲】
【請求項１】
エンドレスベルトの蛇行を防止するための蛇行防止ガイドテープ本体と、前記エンドレスベルトの少なくとも一側面に前記蛇行防止ガイドテープ本体を貼設するための接着層と、を有する蛇行防止ガイドテープにおいて、
前記蛇行防止ガイドテープ本体は、互いに等しい融点をもつウレタン素材からなり互いに硬度の異なる２つの基材層を有し、前記接着層側に高い硬度の前記基材層が位置するように前記両基材層が前記接着層に対して並列されて構成され、
前記両基材層は、該両基材層間における一方の接触面が溶融された状態で積層されることにより溶着されていることを特徴とする蛇行防止ガイドテープ。
【請求項２】
前記接着層側に位置する前記基材層は、約７５乃至１２０Ｈｓの硬度であり、他方の前記基材層は、約４５乃至７５Ｈｓの硬度であることを特徴とする請求項１記載の蛇行防止ガイドテープ。
【請求項３】
前記接着層側に位置する前記基材層は、積層方向で見た厚さ寸法が約０．１から０．４ｍｍであり、他方の前記基材層は、厚さ寸法が約０．４から１．３ｍｍであることを特徴とする請求項１または請求項２に記載の蛇行防止ガイドテープ。
【発明の詳細な説明】
【０００１】
【発明の属する技術分野】
この発明は、例えば、電子写真方式を採用した複写機、レーザープリンタ等を構成する感光装置、中間転写装置、転写分離装置、搬送装置、帯電装置、現像装置等に使用されるエンドレスベルトの蛇行防止に用いて好適な蛇行防止ガイドテープに関する。
【０００２】
【従来の技術】
従来のこの種の蛇行防止ガイドテープとしては、図５及び図６に示すようなものが知られている。
【０００３】
このようなものでは、中間転写装置１が、感光ドラム２と、この感光ドラム２の表面を略均一に帯電させる帯電器３と、画像に対応した静電潜像を現像する現像器４と、この静電潜像を、複数のローラ５〜７により、内側面から支持されるエンドレスベルト８に転写する静電転写器９等とから主に構成されている。
【０００４】
そして、前記ローラ７と、押圧ローラ１０との間を通る記録紙１１に、前記転写された画像が印刷される。
【０００５】
このように、前記エンドレスベルト８を、高精度に回転駆動するには、前記各ローラ５〜７の軸が、平行で、各ローラ５〜７の真円度、真直度が高いこと等、各種条件が必要となる。
【０００６】
これらの条件が満たされないと、前記エンドレスベルト８が蛇行して、露光位置や、転写位置がずれるため画像ムラや画像ずれが発生する虞があった。
【０００７】
このため、このようなエンドレスベルト８の蛇行を防止するため、例えば、特開昭５８−１００１４５号公報に記載されている様に、駆動ロールにフランジを設けたり、或いは、特開昭５９−２０３０３６号公報記載のように蛇行量を検出し、各ロールの平行度を制御する方法が提案されている。
【０００８】
このような前記フランジを設ける方法では、蛇行量が大きいと、エンドレスベルト８が、このフランジに乗り上げて破断する虞があった。また、ロールの平行度を制御する方法では、構造が、複雑で、高価なものとなってしまうといった問題があった。
【０００９】
また、蛇行防止用のガイドテープを前記エンドレスベルト８の内側に貼り付けて、前記各ローラ５〜７とのずれを防止する方法が、特開平７−１８７４３５号公報、特開平８−９９７０６号公報、特開平８−２２５１７８号公報、特開平１１−３３８１７４号公報、特開平１１−３３８１７５号公報、特開平１１−３５２８３２号公報、特許公開２０００−２９３２６号公報、特許公開２０００−７５７２８号公報等に記載されている。
【００１０】
例えば、前記特開平７−１８７４３５号に記載されたものでは、図６に示すように、所定の硬度を有する蛇行防止ガイド基材１２に、接着材を塗布することにより得られる接着層１３を介して、引張弾性率５０００Ｋｇ／ｃｍ2  以上の引っ張り強度を有する補強基材１４が接着されて、蛇行防止ガイドテープ１５が構成されている。なお、図中符号１６は、前記エンドレスベルト８との接着に用いる接着層で、離型紙１７が粘着面に離型自在となるように添着されている。
【００１１】
このように構成された蛇行防止ガイドテープ１５では、蛇行防止ガイド基材１２によって、充分な蛇行防止効果と耐久性とを両立させつつ、この蛇行防止ガイド基材１２に、接着材が塗布されて形成された接着層１３を介して、前記補強基材１４が接着されることにより、前記エンドレスベルト８への張付時における前記蛇行防止ガイド基材１２の伸張を防止して、復元時の収縮による剥離が起こらないようにしている。
【００１２】
【発明が解決しようとする課題】
しかしながら、このような従来の蛇行防止ガイドテープでは、前記蛇行防止ガイド基材１２に、前記補強基材１４を接着材で形成された接着層１６を介して接着するように構成されているので、この蛇行防止ガイドテープを形成する際、別途、接着材を用意して、略均等に、前記蛇行防止ガイド基材１２の一側面或いは、前記補強基材１４の一側面に塗布しなければならない。
【００１３】
このため、蛇行防止ガイドテープの作成が容易であるとは言い難く、製造コストの増大を抑制しがたいといった問題があった。
【００１４】
そこで、この発明は、充分な蛇行防止効果と耐久性を両立させつつ、基材の伸張を防止して、復元時の剥離等の問題を解消すると共に、製造も容易な蛇行防止ガイドテープを提供することを課題としている。
【００１５】
【課題を解決するための手段】
前記課題を解決するため本願発明の請求項１に記載されたものではエンドレスベルトの蛇行を防止するための蛇行防止ガイドテープ本体と、前記エンドレスベルトの少なくとも一側面に前記蛇行防止ガイドテープ本体を貼設するための接着層と、を有する蛇行防止ガイドテープにおいて、前記蛇行防止ガイドテープ本体は、互いに等しい融点をもつウレタン素材からなり互いに硬度の異なる２つの基材層を有し、前記接着層側に高い硬度の前記基材層が位置するように前記両基材層が前記接着層に対して並列されて構成され、前記両基材層は、該両基材層間における一方の接触面が溶融された状態で積層されることにより溶着されていることを特徴としている。

【００１６】
ここで、同一材質とは、例えば、ウレタン等の高分子素材或いは他の物質との樹脂化合物で、同一融点を有するもの同士のことである。
【００１７】
このように構成された請求項１記載のものでは、硬度の異なる少なくとも２層の基材が、積層された状態で溶着される。このため、別途、接着層を形成する接着材等を塗布等する必要なく、接着材使用量を減少させることが出来ると共に、基材間を所定の温度で圧着するだけで、容易に、蛇行防止ガイドテープ本体の作成を行うことが出来る。
【００１８】
また、請求項２に記載されたものでは、請求項１に記載された蛇行防止ガイドテープであって、前記接着層側に位置する前記基材層は、約７５乃至１２０Ｈｓの硬度であり、他方の前記基材層は、約４５乃至７５Ｈｓの硬度であることを特徴としている。
【００１９】
このように構成された請求項２記載のものでは、前記エンドレスベルト側に設けられる基材層は、他方の基材層に比して、高硬度であるので、前記エンドレスベルトへの張付時における該基材の伸張が防止されて、復元時の収縮率を少なくすることが出来るので、剥離が防止される。
【００２０】
また、高硬度の基材層は、前記エンドレスベルトとの間に介在される接着材或いは、両面粘着テープの接着材に対する親和性が良好で、前記エンドレスベルトとの接着性を良好なものとすることが出来る。
【００２１】
そして、請求項３に記載されたものでは、請求項１または請求項２に記載の蛇行防止ガイドテープであって、前記接着層側に位置する前記基材層は、積層方向で見た厚さ寸法が約０．１から０．４ｍｍであり、他方の前記基材層は、厚さ寸法が約０．４から１．３ｍｍであることを特徴としている。
【００２２】
このように構成された請求項３記載のものでは、前記エンドレスベルト側の基材層に対して、他方側の基材層の表面を高硬度とすることにより、更に、耐摩耗性を向上させることが出来る。
【００２３】
【発明の実施の形態１】
以下、本発明の具体的な実施の形態１について、図面を参照しつつ説明する。なお、前記従来例と同一乃至均等な部分については、同一符号を付して説明する。
【００２４】
図１乃至図４は、この発明の実施の形態１の蛇行防止ガイドテープを示すものである。
【００２５】
まず、構成を説明すると、この実施の形態１の蛇行防止ガイドテープ２０は、コピー機等のローラ５周囲に巻き回されるエンドレスベルト８の一側面である内周面８ａに貼設されて、前記ローラ５の外周面５ａに凹設形成されたガイド溝部５ｂに係合することにより蛇行が防止されるものである。
【００２６】
この蛇行防止ガイドテープ２０では、主にエンドレスベルト８側に設けられるベルト側基材層２１と、このベルト側基材層２１のベルト貼接面２１ａと反対側に設けられる他方の基材層２２とから蛇行防止ガイドテープ本体が構成されている。
【００２７】
前記ベルト貼接面２１ａには、前記エンドレスベルト８との接着に用いる接着層１６が形成され、離型紙１７が離型自在となるように添着されている。
【００２８】
この蛇行防止ガイドテープ２０は、幅約３〜８ｍｍ、長さ約８００ｍｍの長尺形状を呈し、これらのベルト側基材層２１及び他方の基材層２２が同一のウレタン素材で構成されている。
【００２９】
このうち、前記ベルト側基材層２１は、ＪＩＳＡによる硬度が、９０Ｈｓのウレタン素材で構成されていて、厚みを約０．１〜０．４ｍｍとしている。
【００３０】
また、前記他方側の基材層２２は、ＪＩＳＡによる硬度が、６０Ｈｓのウレタン素材で構成されて、厚みを約０．４〜１．３ｍｍとしている。
【００３１】
しかも、この実施の形態１の蛇行防止ガイドテープ２０では、これらの前記ベルト側基材層２１及び前記基材層２２を積層して熱で溶着させている。
【００３２】
次に、この実施の形態１の蛇行防止ガイドテープ２０の作用について、この蛇行防止ガイドテープの製造工程に沿って説明する。
【００３３】
この実施の形態１では、蛇行防止ガイドテープ２０のうち、ＪＩＳＡによる硬度が、９０Ｈｓの比較的堅いウレタン素材で構成される前記ベルト側基材層２１のベルト貼接面２１ａには、コーティング装置等により、前記接着層１６を形成する接着材が塗布される。  この接着層１６には、前記離型紙１７が、貼設される。
【００３４】
そして、このベルト側基材層２１の上面には、接触面を熱した状態で、ＪＩＳＡによる硬度６０Ｈｓの比較的軟らかいウレタン素材で構成された前記基材層２２が、積層されて所定の押圧力で圧接されて溶着される。
【００３５】
前記ベルト側基材層２１と基材層２２とは、ウレタン素材の融点が同一の素材で構成されているので、少なくとも一方の基材層２１，２２が溶融した両基材層２１，２２の接触面では、他方の基材層２２，２１も溶融して、溶融したウレタン素材同士が混ざり合い、冷却による凝固で、相互に接着される。
【００３６】
このように構成された実施の形態１の蛇行防止ガイドテープ２０は、前記離型紙１７を剥がし、図２に示すように、前記エンドレスベルト８の内周面８ａに沿って貼設する。
【００３７】
この際、前記蛇行防止ガイドテープ２０のうち、エンドレスベルト８側に位置するベルト側基材層２１が、ＪＩＳＡによる硬度９０Ｈｓの比較的硬いウレタン素材で構成されているので、伸張しにくい。
【００３８】
また、高硬度のベルト側基材層２１は、前記エンドレスベルト８との間に介在される接着層１６に対する親和性が、前記低硬度の基材層２２よりも比較的良好で、前記エンドレスベルト８との接着性を良好なものとすることが出来る。
【００３９】
また、前記他方側の基材層２２は、ＪＩＳＡによる硬度が、６０Ｈｓの比較的軟らかいウレタン素材で構成されているので、圧縮されて、前記ローラ５〜７の円弧に沿う半径方向距離の小さい内周面への貼設でも、容易に折曲されると共に、歪み応力が小さい状態で保持される。
【００４０】
このように、前記エンドレスベルト８側に設けられるベルト側基材層２１は、他方の基材層２２に比して、高硬度であるので、前記エンドレスベルト８への張付時におけるこれらの各基材２１，２２の伸張が防止されて、復元時の収縮率を少なくすることが出来る。従って、前記蛇行防止ガイドテープ２０のエンドレスベルト８からの剥離が防止される。
【００４１】
また、この実施の形態１では、硬度の異なる２層のベルト側基材層２１及び基材層２２が、積層された状態で、加熱により溶着される。
【００４２】
このため、別途、これらのベルト側基材層２１及び基材層２２間に、従来のように、接着材を塗布する等、接着層を形成する工程を行う必要が無い。
【００４３】
従って、接着材使用量を減少させることが出来ると共に、基材間を所定の温度で圧着するだけで、容易に、蛇行防止ガイドテープ２０の作成を行うことが出来る。
【００４４】
上述してきたように、ベルト側基材層２１及び基材層２２を積層して熱で溶着させることにより、ガイドに必要な高さを得られ、充分な蛇行防止効果と耐久性を両立させつつ、基材の伸張が防止されて、復元時の剥離等の問題が解消されると共に、製造も容易な蛇行防止ガイドテープが提供される。
【００４５】
【変形例１】
以下、本発明の具体的な実施の形態１の変形例１の蛇行防止ガイドテープ３０について、図３を参照しつつ説明する。
【００４６】
なお、前記実施の形態１と同一乃至均等な部分については、同一符号を付して説明する。
【００４７】
図３は、この変形例１の蛇行防止ガイドテープ３０を示すものである。
【００４８】
まず、構成を説明すると、この変形例１の蛇行防止ガイドテープ３０では、エンドレスベルト側に設けられるベルト側基材層３１が、比較的低硬度であるＪＩＳＡによる硬度６０Ｈｓのウレタン素材で構成されて、厚みを約０．４〜１．３ｍｍとしている。
【００４９】
また、他方の基材層３２は、ＪＩＳＡによる硬度が、９０Ｈｓのウレタン素材で構成されて、厚みが約０．１〜０．４ｍｍとすることにより、前記エンドレスベルト側のベルト側基材層３１に対して、この他方側の基材層３２で構成される表面を高硬度としている。
【００５０】
次に、この変形例１の作用について説明する。
【００５１】
この変形例１では、前記実施の形態１の作用効果に加えて、更に、前記エンドレスベルト側に設けられるベルト側基材層３１に比して、表面を構成する他方の基材層３２が、高硬度であるので、耐摩耗性を向上させることが出来る。
【００５２】
【変形例２】
以下、本発明の具体的な実施の形態１の変形例２の蛇行防止ガイドテープ４０について、図４を参照しつつ説明する。
【００５３】
なお、前記実施の形態１と同一乃至均等な部分については、同一符号を付して説明する。
【００５４】
図４は、この発明の実施の形態１の変形例２の蛇行防止ガイドテープ４０を示すものである。
【００５５】
まず、構成を説明すると、この変形例２の蛇行防止ガイドテープ４０では、エンドレスベルト側に設けられるベルト側基材層４３が、比較的高硬度であるＪＩＳＡによる硬度９０Ｈｓのウレタン素材で構成されて、厚みを約０．１〜０．４ｍｍとしている。
【００５６】
また、他方の基材層４１は、比較的低硬度であるＪＩＳＡによる硬度が、９０Ｈｓのウレタン素材で構成されると共に、この基材層４１の表面には、厚みを約０．１〜０．４ｍｍとして比較的高硬度であるＪＩＳＡによる硬度９０Ｈｓのウレタン素材で構成された表面側基材層４２が覆っている。
【００５７】
前記中間基材層４１は、厚みが約０．４〜１．３ｍｍを呈する、前記ベルト側基材層４３及び表面側基材層４１間に設けられてサンドイッチ状とされている。
【００５８】
次に、この変形例２の作用について説明する。
【００５９】
この変形例２では、実施の形態１の作用効果に加えて、更に、前記中間に設けられるベルト側基材層４１に比して、表面を構成する他方の基材層４２が、高硬度であるので、耐摩耗性を向上させることが出来る。
【００６０】
また、前記中間基材層４１と、各前記ベルト側基材層４３及び表面側基材層４１との間は、同一材質であるウレタン素材で構成されているので、加熱により、溶着出来、容易に３層のサンドイッチ状の蛇行防止ガイドテープ４０を作成出来る。
【００６１】
以上、この発明の実施の形態１及び変形例１，２を図面により詳述してきたが、具体的な構成はこの実施の形態１に限らず、この発明の要旨を逸脱しない範囲の設計の変更等があってもこの発明に含まれる。
【００６２】
例えば、前記実施の形態１では、前記ベルト側基材層２１は、ＪＩＳＡによる硬度が、９０Ｈｓのウレタン素材で構成されていて、厚みを約０．１〜０．４ｍｍとすると共に、前記他方側の基材層２２は、硬度が、６０Ｈｓのウレタン素材で構成されて、厚みを約０．４〜１．３ｍｍとしているが、特にこれに限らず、例えば、蛇行防止ガイドテープのベルト側基材層２１を、約７５乃至１２０Ｈｓの硬度で構成されていると共に、前記他方側の基材層２２を、約４５乃至７５Ｈｓの硬度の同一素材で構成されているものであれば、例えばウレタン化合物等、ウレタン素材の混合物を含む他の樹脂化合物等、どのような材質で、しかも、どのように硬度の異なるものであっても、２層以上等、少なくとも２層の複数の層の基材が積層されて溶着されるものであればよい。
【００６３】
また、実施の形態１では、コピー機のローラ５等に巻き回されたエンドレスベルトに、蛇行防止ガイドテープ２０を用いたものを示して説明してきたが、このような電子写真方式を採用した複写機に限らず、レーザープリンタ等を構成する感光装置、中間転写装置、転写分離装置、搬送装置、帯電装置、現像装置等に使用される蛇行防止ガイドテープであるならば、形状、数量、適用箇所が特に限定されるものではない。
【００６４】
更に、前記実施の形態１では、前記蛇行防止ガイドテープ２０と、前記エンドレスベルト８との間の接着に、接着材で形成される接着層１６が用いられているが、特にこれに限らず、例えば、接着材を少なくとも一部に有する両面粘着テープ等によって、接着層が形成されているものであっても良く、また、接着時に、塗布或いは、添着されるものであってもよい。
【００６５】
【発明の効果】
以上説明してきたように、この発明の請求項１記載のものによれば、硬度の異なる少なくとも２層の基材が、積層された状態で溶着される。このため、別途、接着層を形成する接着材等を塗布等する必要なく、接着材使用量を減少させることが出来ると共に、基材間を所定の温度で圧着するだけで、容易に、蛇行防止ガイドテープの作成を行うことが出来る。
【００６６】
また、請求項２に記載されたものでは、前記エンドレスベルト側に設けられる基材層は、他方の基材層に比して、高硬度であるので、前記エンドレスベルトへの張付時における該基材の伸張が防止されて、復元時の収縮率を少なくすることが出来るので、剥離が防止される。
【００６７】
更に、高硬度の基材層は、前記エンドレスベルトとの間に介在される接着材或いは、両面粘着テープの接着材に対する親和性が良好で、前記エンドレスベルトとの接着性を良好なものとすることが出来る。
【００６８】
そして、請求項３に記載されたものでは、前記エンドレスベルト側の基材層に対して、他方側の基材層の表面を高硬度とすることにより、更に、耐摩耗性を向上させることが出来る、という実用上有益な効果を発揮する。
【図面の簡単な説明】
【図１】本発明の実施の形態１で、蛇行防止ガイドテープの構成を説明する一部断面斜視図である。
【図２】実施の形態１の蛇行防止ガイドテープを用いたコピー機のローラ部分を示す一部断面斜視図である。
【図３】実施の形態１の変形例１の蛇行防止ガイドテープで、構成を説明する一部断面斜視図である。
【図４】実施の形態１の変形例２の蛇行防止ガイドテープで、構成を説明する一部断面斜視図である。
【図５】従来の蛇行防止ガイドテープを利用した中間転写装置の模式図である。
【図６】従来の蛇行防止ガイドテープの一部断面斜視図である。
【符号の説明】
５〜７      ローラ
５ｂ        ガイド溝部
８          エンドレスベルト
８ａ        内周面（一側面）
２０，３０，４０
蛇行防止ガイドテープ（蛇行防止ガイドテープ本体）
２１，３１，４３
ベルト側基材層
２２，３２，４２
（他方側の）基材層
【図１】
0004252706.tif 000002
【図２】
0004252706.tif 000003
【図３】
0004252706.tif 000004
【図４】
0004252706.tif 000005
【図５】
0004252706.tif 000006
【図６】
0004252706.tif 000007